(57)【要約】      （修正有）【課題】ゴルフの初心者であってもゴルフの標準フォームを効果的に習得可能なゴルフフォーム練習具を提供する。【解決手段】ボールを打つための姿勢であるアドレス姿図３と、バックスイングの頂点の姿勢であるトップスイング姿図５と、ボールを打った後の初期段階における初期のフォロースルー姿図７と、その終期段階における終期のフォロースルー姿図９と、スイングの終点としてのフィニッシュ姿図１０の夫々としての標準フォーム姿図が、鏡面部１１に、左右反転状態の鏡像的に表示されている。標準フォーム姿図は、アドレス姿図３を正面図として、人骨の形態を模してなる人骨表示で表示され、左右の脚部の膝関節の骨格と左右の足部の骨格と左右の腕部の肘関節の骨格と左右の手部の骨格と左右の手首の骨格が表示されている。少なくともアドレス姿図３は、これらを含んだ略全身の骨格で表示されている。鏡面部１１に映る練習者の虚像を個々の姿図に重ね得る。【選択図】図１
2019111046.tif 000002
【特許請求の範囲】
【請求項１】
ボールを打つための姿勢の一つであるアドレス姿図としての標準フォーム姿図が少なくとも表示されており、該標準フォーム姿図は、鏡面部に、左右反転状態の鏡像的に表示されてなり、該標準フォーム姿図は、人骨の形態を模してなる人骨表示で表示され、又該標準フォーム姿図は、左右の脚部の膝関節の骨格と、左右の足部の骨格と、左右の腕部の肘関節の骨格と、左右の手首の骨格と、左右の手部の骨格を含む略全身の骨格で表示されており、前記鏡面部に映る練習者の虚像を該標準フォーム姿図に重ね得るようになされており、この重ねは、前記人骨表示で表示されている該標準フォーム姿図における各部を、前記虚像の対応表示部の内側に位置させて行い得るようになされていることを特徴とするゴルフフォーム練習具。
【請求項２】
ボールを打つための姿勢であるアドレス姿図と、バックスイングの頂点の姿勢であるトップスイング姿図と、ボールを打った後、クラブを打球線に沿うように振り抜く初期段階における初期のフォロースルー姿図と、その終期段階における終期のフォロースルー姿図と、スイングの終点としてのフィニッシュ姿図の夫々としての、ゴルフの標準フォームを表示した標準フォーム姿図が、鏡面部に、左右反転状態の鏡像的に表示されてなり、該標準フォーム姿図は、その略全身形態が表示されてなるものであり又はその要部形態が表示されてなるものであり、
前記標準フォーム姿図は、前記アドレス姿図を正面図として、人骨の形態を模してなる人骨表示で表示され、
前記鏡面部に映る練習者の虚像を前記標準フォーム姿図における個々の姿図に重ね得るようになされており、この重ねは、前記人骨表示で表示されている前記標準フォーム姿図における各部を、前記虚像の対応表示部の内側に位置させて行い得るようになされていることを特徴とするゴルフフォーム練習具。
【請求項３】
ボールを打つための姿勢であるアドレス姿図と、バックスイングの頂点の姿勢であるトップスイング姿図と、ボールを打った後、クラブを打球線に沿うように振り抜く初期段階における初期のフォロースルー姿図と、その終期段階における終期のフォロースルー姿図と、スイングの終点としてのフィニッシュ姿図の夫々としての、ゴルフの標準フォームを表示した標準フォーム姿図が、鏡面部に、左右反転状態の鏡像的に表示されてなり、該標準フォーム姿図は、その略全身形態が表示されてなるものであり又はその要部形態が表示されてなるものであり、      
前記標準フォーム姿図は、前記アドレス姿図を正面図として、人骨の形態を模してなる人骨表示で表示され、
前記鏡面部に映る練習者の虚像を前記標準フォーム姿図における個々の姿図に重ね得るようになされており、この重ねは、前記人骨表示で表示されている前記標準フォーム姿図における各部を、前記虚像の対応表示部の内側に位置させて行い得るようになされており、
前記アドレス姿図は、略全身の骨格で表示され、頭部、左右の肩部を含む胴部、骨盤の夫々の骨格と、左右の脚部の夫々の膝関節の骨格と、左右の上腿の骨格と、左右の下腿の骨格と、左右の足部の骨格と、左右の腕部の肘関節の骨格と、左右の上腕の骨格と、左右の前腕の骨格と、左右の手首の骨格と、左右の手部の骨格が少なくとも表示されており、
前記トップスイング姿図は、左の腕部については、その肘関節の骨格と、該肘関節側の上腕の部分骨格と、該肘関節側の前腕の骨格と、手首の骨格が表示されると共に、右の腕部については、手首の骨格と、該手首側の前腕の部分骨格が表示されており、又左の脚部については、その膝関節の骨格と、該膝関節側の上腿の骨格と、該膝関節側の下腿の部分骨格が表示されており、
前記初期のフォロースルー姿図は、右の脚部については、その膝関節の骨格と、該膝関節側の上腿の部分骨格と、該膝関節側の下腿の部分骨格と、左右の腕部の肘関節の骨格と、左右の腕部の前腕の骨格と、右の手首の骨格と、左右の肘関節側の左右の上腕の部分骨格が表示されており、
前記終期のフォロースルー姿図は、骨盤の骨格と、左右の腕部の肘関節の骨格と、左右の手首の骨格と、右の腕部の上腕と前腕の骨格が表示され、又、右の脚部については、その膝関節の骨格と、該膝関節側の上腿の骨格及び該膝関節側の下腿の骨格と、右足の骨格が表示されると共に、左の脚部については、その膝関節の骨格と、上腿の骨格と、該膝関節側の下腿の部分骨格が表示されており、
前記フィニッシュ姿図は、左の腕部の肘関節の骨格と該肘関節側の上腕の部分骨格と、該左の腕部の前腕の骨格と、手首の骨格が少なくとも表示されていることを特徴とするゴルフフォーム練習具。
【請求項４】
前記アドレス姿図と前記トップスイング姿図と前記初期のフォロースルー姿図と前記終期のフォロースルー姿図と前記フィニッシュ姿図は、夫々、着色色を異ならせて異色表示されていることを特徴とする請求項２又は３記載のゴルフフォーム練習具。
【請求項５】
前記アドレス姿図の腹部に、筋肉を緊張させるべき部分であることを表示する第１の目印を付すると共に、
前記トップスイング姿図の右の脚部の上腿の骨格部分と、該右の脚部の下腿の骨格部分と、右の足部の骨格部分に、体重をかけるべき部分であることを示す第２の目印を付し、且つ、右脇腹部分には、筋肉を緊張させるべき部分であることを表示する第３の目印を付し、
又、前記初期のフォロースルー姿図の左の脚部の上腿の骨格部分と、該左の脚部の下腿の骨格部分と、左の足部の骨格部分に、体重をかけるべき部分であることを表示する第４の目印を付したことを特徴とする請求項３又は４記載のゴルフフォーム練習具。
【請求項６】
バックスイング時における左右の腕部の移動方向を表示する腕部移動表示を付すると共に、該バックスイング時における左の脚部の移動方向を表示する脚部移動表示を付したことを特徴とする請求項２〜５の何れかに記載のゴルフフォーム練習具。
【請求項７】
前記腕部移動表示と前記脚部移動表示は矢印表示であることを特徴とする請求項６記載のゴルフフォーム練習具。
【請求項８】
前記鏡面部に裏面で重ね合わせられる透明の補助透明シートを具え、請求項５記載の第１〜第４の目印が、該補助透明シートに付されており、該補助透明シートが前記鏡面部に重ね合わせられた状態で、該第１〜第４の目印が前記鏡面部に付された状態となることを特徴とするゴルフフォーム練習。
【請求項９】
前記鏡面部に裏面で重ね合わせられる透明の補助透明シートを具えており、請求項６記載の前記腕部移動表示と前記脚部移動表示が、該補助透明シートに付されており、該補助透明シートが前記鏡面部に重ね合わせられた状態で、該腕部移動表示と該脚部移動表示が前記鏡面部に付された状態となることを特徴とするゴルフフォーム練習具。
【発明の詳細な説明】
【技術分野】
【０００１】
本発明は、ゴルフの初心者が自己のゴルフフォームを標準フォームに近づけるために用いられるゴルフフォーム練習具に関するものである。
【背景技術】
【０００２】
ゴルフスイングは、ゴルフボールをクラブで打つ一連の打球動作を言い、その流れは、アドレス、テイクバック、バックスイング、トップスイング、ダウンスイング、インパクト、フォロースルー、フィニッシュからなっている。この一連の打球動作（即ちスイング）をその標準フォームに近づけるための練習は、ゴルフボールをより遠くにより正確に飛ばすために必要なことである。
【０００３】
そこで、この練習を行うためのゴルフフォーム練習具として、特許文献１に係るゴルフ練習器具や特許文献２に係るフォーム矯正具が提案されている。特許文献１には、鏡本体に直接に又は鏡本体に設けられるフィルムにゴルフクラブ振り姿を描いてなるゴルフ練習器具が記載されている。又特許文献２には、鏡面処理が施されたシートに、ゴルフの標準フォームを使用者のフォームに対して鏡像的に描いてなるフォーム矯正具が記載されている。
【０００４】
かかるゴルフ練習器具やフォーム矯正具によるときは、練習者が、鏡本体や鏡面処理が施されたシートに映る練習者虚像を前記フィルムや前記シートに描かれている前記標準フォームに重ね合わせることにより、標準フォームを習得可能とするものであった。
【０００５】
しかしながら前記標準フォームは、特許文献１にあっては前記鏡本体に直接に又は該鏡本体に設けられるフィルムに、プロゴルファーが鏡に映す標準ゴルフクラブ振り姿図を印刷しただけのものであり、又特許文献２にあっては、プロゴルファーによるスイング中の分解写真に基づいてイラスト化した分解像をトレース基準として描いだけのものであったため、標準フォームの習得効果が十分でなかった。
【０００６】
なぜなら、ゴルフスイングにおける要点の一つは、膝の曲げ方向とその曲げ具合、肘の曲げ方向とその曲げ具合、グリップ状態での手首の曲げ具合にあるが、前記フィルムや前記シート等に前記標準フォームを印刷したり描写したものにあっては、人間の身体がそのまま印刷され或いは描かれたものであったため、膝や肘の曲げ具合が明確ではなかったからである。そのため、前記ゴルフ練習器具や前記フォーム矯正具によるときは、鏡本体や鏡面処理が施されたシートに映る練習者虚像を前記フィルムや前記シートに描かれている前記標準フォームに重ね合わせることができたとしても、練習者は、膝の曲げ方向とその曲げ具合、肘の曲げ方向とその曲げ具合、グリップ状態での手首の曲げ具合等を大まかに把握できるに過ぎず、従って、標準フォームの習得効果が十分でなかったのである。
【先行技術文献】
【特許文献】
【０００７】
【特許文献１】特開平１０−２６３１２７号公報
【特許文献２】特開２００３−２３０６４９号公報
【発明の概要】
【発明が解決しようとする課題】
【０００８】
本発明は前記従来の問題点に鑑みて開発されたものであり、ゴルフの初心者であってもゴルフの標準フォームを効果的に習得可能とするゴルフフォーム練習具の提供を課題とするものである。
【課題を解決するための手段】
【０００９】
前記課題を解決するため本発明は以下の手段を採用する。
即ち、本発明に係るゴルフフォーム練習具の第１の態様は、ボールを打つための姿勢の一つであるアドレス姿図としての標準フォーム姿図が少なくとも表示されており、該標準フォーム姿図は、鏡面部に、左右反転状態の鏡像的に表示されてなる。該標準フォーム姿図は、人骨の形態を模してなる人骨表示で表示され、又該標準フォーム姿図は、左右の脚部の膝関節の骨格と、左右の足部の骨格と、左右の腕部の肘関節の骨格と、左右の手首の骨格と、左右の手部の骨格を含む略全身の骨格で表示されており、前記鏡面部に映る練習者の虚像を該標準フォーム姿図に重ね得るようになされており、この重ねは、前記人骨表示で表示されている該標準フォーム姿図における各部を、前記虚像の対応表示部の内側に位置させて行い得るようになされていることを特徴とするものである。該第１の態様に係るゴルフフォーム練習具は、前記アドレス姿図のみが表示されているものを含む。
【００１０】
本発明に係るゴルフフォーム練習具の第２の態様は、ボールを打つための姿勢であるアドレス姿図と、バックスイングの頂点の姿勢であるトップスイング姿図と、ボールを打った後、クラブを打球線に沿うように振り抜く初期段階における初期のフォロースルー姿図と、その終期段階における終期のフォロースルー姿図と、スイングの終点としてのフィニッシュ姿図の夫々としての、ゴルフの標準フォームを表示した標準フォーム姿図が、鏡面部に、左右反転状態の鏡像的に表示されてなり、該標準フォーム姿図は、その略全身形態が表示されてなるものであり又はその要部形態が表示されてなるものである。前記標準フォーム姿図は、前記アドレス姿図を正面図として、人骨の形態を模してなる人骨表示で表示されている。そして、前記鏡面部に映る練習者の虚像を前記標準フォーム姿図における個々の姿図に重ね得るようになされており、この重ねは、前記人骨表示で表示されている前記標準フォーム姿図における各部を、前記虚像の対応表示部の内側に位置させて行い得るようになされていることを特徴とするものである。
【００１１】
本発明に係るゴルフフォーム練習具の第３の態様は、ボールを打つための姿勢であるアドレス姿図と、バックスイングの頂点の姿勢であるトップスイング姿図と、ボールを打った後、クラブを打球線に沿うように振り抜く初期段階における初期のフォロースルー姿図と、その終期段階における終期のフォロースルー姿図と、スイングの終点としてのフィニッシュ姿図の夫々としての、ゴルフの標準フォームを表示した標準フォーム姿図が、鏡面部に、左右反転状態の鏡像的に表示されてなり、該標準フォーム姿図は、その略全身形態が表示されてなるものであり又はその要部形態が表示されてなるものである。前記標準フォーム姿図は、前記アドレス姿図を正面図として、人骨の形態を模してなる人骨表示で表示されている。そして、前記鏡面部に映る練習者の虚像を前記標準フォーム姿図における個々の姿図に重ね得るようになされており、この重ねは、前記人骨表示で表示されている前記標準フォーム姿図における各部を、前記虚像の対応表示部の内側に位置させて行い得るようになされている。又前記アドレス姿図は、略全身の骨格で表示され、頭部、左右の肩部を含む胴部、骨盤の夫々の骨格と、左右の脚部の夫々の膝関節の骨格と、左右の上腿の骨格と、左右の下腿の骨格と、左右の足部の骨格と、左右の腕部の肘関節の骨格と、左右の上腕の骨格と、左右の前腕の骨格と、左右の手首の骨格と、左右の手部の骨格が少なくとも表示されている。又前記トップスイング姿図は、左の腕部については、その肘関節の骨格と、該肘関節側の上腕の部分骨格と、該肘関節側の前腕の骨格と、手首の骨格が表示されると共に、右の腕部については、手首の骨格と、該手首側の前腕の部分骨格が表示されている。又左の脚部については、その膝関節の骨格と、該膝関節側の上腿の骨格と、該膝関節側の下腿の部分骨格が表示されている。前記初期のフォロースルー姿図は、右の脚部については、その膝関節の骨格と、該膝関節側の上腿の部分骨格と、該膝関節側の下腿の部分骨格と、左右の腕部の肘関節の骨格と、左右の腕部の前腕の骨格と、右の手首の骨格と、左右の肘関節側の左右の上腕の部分骨格が表示されている。前記終期のフォロースルー姿図は、骨盤の骨格と、左右の腕部の肘関節の骨格と、左右の手首の骨格と、右の腕部の上腕と前腕の骨格が表示され、又、右の脚部については、その膝関節の骨格と、該膝関節側の上腿及び該膝関節側の下腿の骨格と、右足の骨格が表示されると共に、左の脚部については、その膝関節の骨格と、上腿の骨格と、該膝関節側の下腿の部分骨格が表示されており、
前記フィニッシュ姿図は、左の腕部の肘関節の骨格と該肘関節側の上腕の部分骨格と、該左の腕部の前腕の骨格と、手首の骨格が少なくとも表示されていることを特徴とするものである。
【００１２】
本発明に係るゴルフフォーム練習具の第４の態様は、前記第２の態様又は前記第３の態様において、前記アドレス姿図と前記トップスイング姿図と前記初期のフォロースルー姿図と前記終期のフォロースルー姿図と前記フィニッシュ姿図が、夫々、着色色を異ならせて異色表示されていることを特徴とするものである。
【００１３】
本発明に係るゴルフフォーム練習具の第５の態様は、前記第２〜４の何れかの態様において、前記アドレス姿図の腹部に、筋肉を緊張させるべき部分であることを表示する第１の目印を付すると共に、
前記トップスイング姿図の右の脚部の上腿の骨格部分と、該右の脚部の下腿の骨格部分と、右の足部の骨格部分に、体重をかけるべき部分であることを示す第２の目印を付し、且つ、右脇腹部分には、筋肉を緊張させるべき部分であることを表示する第３の目印を付し、又、前記初期のフォロースルー姿図の左の脚部の上腿の骨格部分と、該左の脚部の下腿の骨格部分と、左の足部の骨格部分に、体重をかけるべき部分であることを表示する第４の目印を付したことを特徴とするものである。
【００１４】
本発明に係るゴルフフォーム練習具の第６の態様は、前記第２〜５の何れかの態様において、バックスイング時における左右の腕部の移動方向を表示する腕部移動表示を付すると共に、該バックスイング時における左の脚部の移動方向を表示する脚部移動表示を付したことを特徴とするものである。
【００１５】
本発明に係るゴルフフォーム練習具の第７の態様は、前記第６の態様において、前記腕部移動表示と前記脚部移動表示が矢印表示であることを特徴とするものである。
【００１６】
本発明に係るゴルフフォーム練習具の第８の態様は、前記鏡面部に裏面で重ね合わせられる透明の補助透明シートを具え、前記第５の態様に係る前記第１〜第４の目印が、該補助透明シートに付されており、該補助透明シートが前記鏡面部に重ね合わせられた状態で、該第１〜第４の目印が前記鏡面部に付された状態となることを特徴とするものである。
【００１７】
本発明に係るゴルフフォーム練習具の第９の態様は、前記鏡面部に裏面で重ね合わせられる透明の補助透明シートを具えており、前記第６の態様に係る前記腕部移動表示と前記脚部移動表示が、該補助透明シートに付されており、該補助透明シートが前記鏡面部に重ね合わせられた状態で、該腕部移動表示と該脚部移動表示が前記鏡面部に付された状態となることを特徴とするものである。
【００１８】
以上の各姿図における「右の腕部」とは、練習者の右の腕部の鏡面部に映る虚像に重なる側の腕部を意味し、各姿図における「左の腕部」とは、練習者の左の腕部の鏡面部に映る虚像に重なる側の腕部を意味する。このことは「右の脚部」と「左の脚部」についても同様であり、又、「右の手部」と「左の手部」、「右の手首」、「左の手首」についても同様である。そしてこれらのことは、後述の実施例の説明においても同様である。
【発明の効果】
【００１９】
本発明に係るゴルフフォーム練習具によるときは、ゴルフスイングにおける要点の一つである、膝の曲げ方向とその曲げ具合、肘の曲げ方向とその曲げ具合、グリップ状態での手首の曲げ具合を正しく把握することができるため、ゴルフの初心者であってもゴルフの標準フォームを効果的に習得できることとなる。
【図面の簡単な説明】
【００２０】
【図１】本発明に係るゴルフフォーム練習具を例示する正面図である。
【図２】そのゴルフフォーム練習具の内のアドレス姿図のみを取り出してなる説明図である。
【図３】そのゴルフフォーム練習具の内のトップスイング姿図のみを取り出してなる説明図である。
【図４】そのゴルフフォーム練習具の内の初期のフォロースルー姿図のみを取り出してなる説明図である。
【図５】そのゴルフフォーム練習具の内の終期のフォロースルー姿図のみを取り出してなる説明図である。
【図６】そのゴルフフォーム練習具の内のフィニッシュ姿図のみを取り出してなる説明図である。
【図７】第１〜第４の目印、腕部移動表示、脚部移動表示、説明文が表示された透明樹脂シート小片、数字が記入された着色円が併わせて付されてなるゴルフフォーム練習具を示す正面図である。
【図８】第１〜第４の目印と腕部移動表示、脚部移動表示が付された補助透明樹脂シートを示す正面図である。
【図９】透明樹脂シートの表面に補助透明樹脂シートを重ね合わせてなる重なりシートを壁面に固定した状態を示す断面図である。
【図１０】アドレス姿図としての標準フォーム姿図のみが表示されてなるゴルフフォーム練習具を示す正面図である。
【発明を実施するための形態】
【実施例１】
【００２１】
図１に示されている本発明に係るゴルフフォーム練習具１は、例えば右利きの練習者用のものであり、ボール２を打つための姿勢であるアドレス姿図３と、バックスイングの頂点の姿勢であるトップスイング姿図５と、該ボール２を打った後、クラブ６を打球線に沿うように振り抜く初期段階における初期のフォロースルー姿図７と、その終期段階における終期のフォロースルー姿図９と、スイングの終点としてのフィニッシュ姿図１０の夫々としての、ゴルフの標準フォームを表示した標準フォーム姿図１２が、鏡面部１１に、左右反転状態の鏡像的に表示されてなるものである。該標準フォーム姿図１２は、該標準フォーム姿図１２の略全身形態が、例えば印刷によって表示されてなるものであり又は該標準フォーム姿図１２の要部のみが表示されてなるものである。なお図１においては、前記クラブ６として例えば７番アイアンを用いた場合が図示されている。
【００２２】
前記標準フォーム姿図１２は、図１〜２に示すように、前記アドレス姿図３を正面図として、人骨の形態を模してなる人骨表示で表示されてなり、該アドレス姿図３としての標準フォーム姿図１２には、頭部１３、左右の肩部１６，１７を含む胴部１９、骨盤２０の夫々の骨格１３ａ，１６ａ，１７ａ，１９ａ，２０ａに加え、左右の脚部２１，２２の夫々の膝関節２３，２４の骨格２３ａ，２４ａと、左右の上腿２５，２６の骨格２５ａ，２６ａと、左右の下腿２７，２９の骨格２７ａ，２９ａと、左右の足部３０，３１の骨格３０ａ，３１ａと、左右の腕部３２，３３の肘関節３５，３６の骨格３５ａ，３６ａと、左右の上腕３７，３９の骨格３７ａ，３９ａと、左右の前腕４０，４１の骨格４０ａ，４１ａと、左右の手部４２，４３の骨格４２ａ，４３ａと、左右の手首４５，４６の骨格４５ａ，４６ａが表示されている。
【００２３】
そして、例えば図１に太い一点鎖線で部分的に示すように、前記鏡面部１１に映る練習者の虚像４７を前記標準フォーム姿図１２に重ね得るようになされており、この重ねは、前記人骨表示で表示されている前記標準フォーム姿図１２における各部４９を、前記虚像４７の対応表示部４７ａの内側に位置させて行い得るようになされている。該各部４９は人骨表示であるために幅が小さく、従って、該各部４９の外側の鏡面部分１１ａで前記虚像４７が映る状態となすことができ、これによって前記のように、前記標準フォーム姿図１２における各部４９を、前記虚像４７の前記対応表示部４７ａの内側に位置させることができるのである。
【００２４】
前記鏡面部１１は本実施例においては図９に示すように、光透過性を有する縦長矩形状の透明樹脂シート５２の表面５３として形成されており、例えば該透明樹脂シートの裏面に、銀色の塗料５１を塗布したり、銀色色の印刷を施す等の鏡面処理を施して形成されている。該透明樹脂シート５２のサイズは、図１において、例えば、縦方向長さが９００ｍｍ、横方向長さが６００ｍｍ、厚さが２ｍｍである。
【００２５】
前記標準フォーム姿図１２としての前記５種類の姿図の夫々の略全身形態を前記鏡面部１１に重ねて表示したとすれば、この５種類の姿図の重なり部分が多くなり、該鏡面部１１に映る練習者の虚像を前記標準フォーム姿図１２の所要の姿図に位置合わせさせようとしたとき、個々の姿図を見極めにくい場合が生ずる。
【００２６】
そこで本実施例においては図１〜２に示すように、前記アドレス姿図３についてはその略全身形態を人骨表示で表示することとし、その他の姿図については、該アドレス姿図３と異なる要部形態についてのみ人骨表示で表示することとして、個々の姿図を見極めやすくしている。ここに、前記アドレス姿図３について「その略全身形態を人骨表示で表示」における「略全身」とは、完全な全身ではなく、該アドレス姿図３が、部分的に他の標準フォーム姿図１２で隠された状態にある全身、を意味している。又本実施例において前記アドレス姿図３の上下長さは、練習者の等身大の略２分の１に縮小して描かれている。
【００２７】
前記トップスイング姿図５は、図３に示すように、左の腕部３２については、その肘関節３５の骨格３５ａと、該肘関節３５側の上腕３７の部分骨格３７ａと、前腕４０の骨格４０ａと、該前腕４０に連なる手首４５の骨格４５ａが表示されると共に、右の腕部３９については、その手首４３の骨格４３ａと、該手首４３側の前腕４１の骨格４１ａが表示されている。又、前記左の脚部２１の膝関節２３の骨格２３ａと、該膝関節２３側の上腿２５の部分骨格２５ａと、該膝関節２３側の下腿２７の部分骨格２７ａが表示されている。
【００２８】
前記初期のフォロースルー姿図７は、図４に示すように、左右の腕部３２，３３の前腕４０，４１の骨格４０ａ，４１ａと左右の腕部３２，３３の肘関節３５，３６の骨格３５ａ，３６ａと左右の手首４５，４６の骨格４５ａ，４６ａと、左右の肘関節３５，３６側の左右の上腕３７，３９の部分骨格３７ａ，３９ａが表示されている。又、前記右の脚部２２の膝関節２４の骨格２４ａと、該膝関節２４側の下腿２９の部分骨格２９ａと、該膝関節２４側の上腿２６の部分骨格２６ａが表示されている。
【００２９】
前記終期のフォロースルー姿図９には、図５に示すように、頭部１３、右の肩部１７を含む胴部１９、骨盤２０の夫々の骨格１３ａ，１７ａ，１９ａ，２０ａに加え、左右の脚部２１，２２の夫々の膝関節２３，２４の骨格２３ａ，２４ａと、左右の上腿２５，２６の骨格２５ａ，２６ａと、左の膝関節２３側の左の下腿２７の部分骨格２７ａと、右の下腿２９の骨格２９ａと、右の足部３０の骨格３０ａと、左右の腕部３２，３３の夫々の肘関節３５，３６の骨格３５ａ，３６ａと、右の上腕３９の骨格３９ａと、左の前腕４０の骨格４０ａと、左の肘関節３５側の上腕３７の部分骨格３７ａと、左右の手部４２，４３の骨格４２ａ，４３ａと、左右の手首４５，４６の骨格４５ａ，４６ａが表示されている。
【００３０】
前記フィニッシュ姿図１０は、図６に示すように、左の腕部３３については、その肘関節３６の骨格３６ａと肘関節３６側の上腕３９の部分骨格３９ａと前腕４１の骨格４１ａと該前腕４１の手首４３の骨格４３ａが表示されている。
【００３１】
本実施例においては、前記アドレス姿図３と前記トップスイング姿図５と前記初期のフォロースルー姿図７と前記終期のフォロースルー姿図９と前記フィニッシュ姿図１０は、夫々、着色色を異ならせて異色表示されている。例えば、前記アドレス姿図３は緑色で表示し、前記トップスイング姿図５は黄色で表示し、前記初期のフォロースルー姿図７はオレンジ色で表示し、前記終期のフォロースルー姿図９は赤色で表示し、前記フィニッシュ姿図５は紫色で表示している。なお本実施例においては、図１、図７に示すように、前記アドレス姿図３におけるグリップ状態５４を特別に切り出して、前記鏡面部１１の左側に表示している。
【００３２】
又、前記鏡面部１１の右下部分５５には、７つの着色された円５６，５７，５８，５９，６０，６１，６２を横方向に配置すると共に、これらの円の中に１〜７の数字を、左から右方向に向けて数字が大きくなるように順に記入している。この円の着色は、数字の１に係る円５６は濃い青色とし、数字の２に係る円５８は薄い青色とし、数字の３に係る円５８は緑色とし、数字の４に係る円５９の色は黄色とし、数字の５に係る円６０はオレンジ色とし、数字の６に係る円６１は赤色とし、数字の７に係る円６２は紫色としている。数字の１に係る濃い青色と数字の２に係る薄い青色は、前記グリップ状態５４における前記左右の手部４２，４３の色に合わせたものである。
【００３３】
そして、前記数字に係る緑色、黄色、オレンジ色、赤色、紫色の夫々は、前記アドレス姿図３の色、前記トップスイング姿図５の色、前記初期のフォロースルー姿図７の色、前記終期のフォロースルー姿図９の色、前記フィニッシュ姿図１０の色に合わせたものであり、該番号に係る色で示されている標準フォーム姿図１２に従って番号順にスイングを行えば一連の打球動作（スイング）を行い得るようになっている。
【００３４】
そして本実施例においては、図７に示すように、前記アドレス姿図３の腹部６３に、筋肉を緊張させるべき部分であることを表示する第１の目印６４が付されると共に、前記トップスイング姿図５の右の脚部２２の上腿２６の骨格２６ａと、その下腿２９の骨格２９ａと、右の足部３１の骨格３１ａに、体重をかけるべき部分であることを示す第２の目印６５を付している。
【００３５】
該第１の目印６４は、緑色の線で表示された腹筋表示６６である。該腹筋表示６６は、図７においては、上下に間隔を置いて並べた４本の横の波線６７の中央部と左右側の夫々を縦の波線６９で連結した表示とされている。該第１の目印６４を緑色で表示しているのは、該第１の目印６４が、緑色で表示されている前記アドレス姿図３に関係することを示すためである。
【００３６】
又、前記胴部１９の右脇腹部分７０に、筋肉を緊張させるべき部分であることを表示する第３の目印７１を付している。該第３の目印７１は、黄色の斜線７２を上下に並べた筋肉表示７３である。該第３の目印７１を黄色で表示しているのは、該第３の目印７１が、黄色で表示されている前記トップスイング姿図５に関係することを示すためである。
【００３７】
又図７に示すように、前記右の脚部２２（前記アドレス姿図３の右の脚部２２と略重なっている）の前記上腿２６の骨格２６ａに付した前記第２の目印６５と、前記下腿２９の骨格２９ａに付した第２の目印６５は、例えば黄色の縦方向線７４を横に並べると共に黄色の着色を施してなる筋肉表示７５としてなる。そして前記右の足部３１（前記アドレス姿図３の右の足部３１と略重なっている）の骨格３１ａの第２の目印６５は、該右の足部３１の骨格３１ａに付した黄色の着色表示７６としてなる。該第２の目印６５を黄色で表示しているのは、該第２の目印６５が前記トップスイング姿図５に関係することを示すためである。
【００３８】
又、前記初期のフォロースルー姿図７の左の脚部２１（前記終期のフォローースルー姿図７の左の脚部２１と略重なっている）の上腿２５の骨格２５ａの右側部分と、その下腿２７の骨格２７ａの右側部分と、左の足部２５の骨格２５ａに、体重をかけるべき部分であることを表示する第４の目印７７を付している。該第４の目印７７はオレンジ色の縦方向線７９を横に並べると共に、オレンジ色の着色を施してなる筋肉表示８０としている。又、左の足部２５（前記終期のフォロー姿図９の左の足部３０と略重なっている）の骨格２５ａの第４の目印７７は、該左の骨格２５ａに付したオレンジ色の着色表示８１としている。該第４の目印７７をオレンジ色で表示しているのは、該第４の目印７７が、オレンジ色で表示されている前記初期のフォロースロー姿図７に関係することを示すためである。
【００３９】
これら第１〜第４の目印６４，６５，７１，７７は、前記鏡面部１１に直接表示してもよいのであるが、本実施例においては図８〜９に示すように、前記鏡面部１１に裏面８２で重ね合わせられる同サイズの矩形状の補助透明樹脂シート８３の表面８５に、該第１、第２、第３、第４の目印６４，６５，７１，７７のみを表示し、該補助透明樹脂シート８３を前記鏡面部１１に重ね合わせることによって、前記標準フォーム姿図１２に該第１、第２、第３、第４の目印６４，６５，７１，７７が表示された状態となるように構成している。このように構成すれば、後述するスイング時の体重移動の要領を習得した後は該補助透明樹脂シート８３を該鏡面部１１から取り外すことができる。
【００４０】
又本実施例においては図７に示すように、左右の腕部３２，３３について、前記アドレス姿図３から前記トップスイング姿図５への移動のスイング（バックスイング）時における左右の腕部３２，３３の移動方向を表示する腕部移動表示８４を付している。加えて、前記バックスイング時における左の脚部２１の移動方向を表示する脚部移動表示８５を付している。該腕部移動表示８４と該脚部移動表示８５は、本実施例においては例えば矢印表示とされている。
このように構成すれば、練習者は、前記番号によるスイング順序の表示と相俟ってスイングの一連の流れをより一層容易に把握できることとなる。
【００４１】
前記腕部移動表示８４と前記脚部移動表示８５は、前記鏡面部１１に直接表示してもよいのであるが、本実施例においては、図８に示すように、前記補助透明樹脂シート８３の表面８５に付することとしている。このように構成すれば、腕部や脚部の移動の要領を習得した後は該補助透明樹脂シート８３を該鏡面部１１から取り外すことができる。
【００４２】
又本実施例においては図７に示すように、前記鏡面部１１の所要部位（前記の各標準フォーム姿図１２から外れた余白部分であって、極力視線を逸らさないで済む場所）に、各姿図におけるフォームのポイントを説明する説明文を配置することとしている。この説明文は、前記鏡面部１１に直接記載してもよいのであるが、本実施例においては、図８に示すように、前記補助透明樹脂シート８３の表面８５の両側部分の所要部位に配置することとしている。かかる配置は、前記説明文が記載されてなる例えば紙製や樹脂製等のシート小片８６を前記補助透明シート８３の所要部位に着脱可能に貼着する等の手段によって行うことができる。この貼着は、例えば粘着力が比較的弱い両面粘着テープを該シート小片８６の裏面に貼着して該両面粘着テープを介して着脱可能とすることによって行うことができる。このようにすれば、フォームのポイントを習得した後は該透明樹脂シート小片８６を前記表面８５から剥がすことができる。
【００４３】
該説明文を例示すれば、グリップに関しては第１の説明文「左手は小指、薬指、中指で握る。親指と人差し指は添えるだけ。決まった左手のグリップに右手を被せる。右手は中指と薬指で握る。その他の指は添えるだけ。」とする。アドレスに関しては第２の説明文「グリップは左足つけ根の前にセットする。両膝の高さを合わせる。右肩は左肩より下げる。アゴを引く。左右の肘の内側は正面を向く。腹部の筋肉を緊張させる。」とする。トップスイングに関しては第３の説明文「頭の位置は変えずに体の中心軸を崩さないように回転。右ヒザの位置をキープ。右脇を締める。左肩をアゴ下まで回す。右の脚部と右の足に体重をかける。」とする。初期のフォロースルーに関しては第４の説明文「インパクトまで頭の位置を変えない。アドレス時の両腕の三角形を崩さない。左足の位置は変わらないが真っすぐに地面を踏み込む。左の脚部と左の足に体重をかける。」とする。又終期のフォロースルーに関しては、第５の説明文「体が目標に正対するように振り抜く。右腕をしっかり伸ばす。」とする。そしてフィニッシュに関しては第６の説明文「右腕をしっかり伸ばした状態で、鏡から自分が見えなくなるまで振り切る。」とする。
【００４４】
次に、かかる構成を有するゴルフフォーム練習具１を用いて練習者がゴルフの標準フォームを練習する要領の一例を説明する。
【００４５】
先ず図９に示すように、前記透明樹脂シート５２の前記表面５３に前記補助透明樹脂シート８３を重ね合わせる。これによって図７に示すように、該透明樹脂シート５２に表示されている各標準フォーム姿図１２に、前記第１、第２、第３、第４の目印６４，６５，７１，７７と前記腕部移動表示８４と、前記脚部移動表示８５と、前記説明文が付された状態が得られる。又、前記説明文が記載されてなるシート小片８６が前記余白部分に配置された状態が得られる。その後、該透明樹脂シート５２と該補助透明樹脂シート８３との重なりシート８７を該補助透明樹脂シート８３を表にして、例えば室内や屋外に存する壁面８９に当て、その四隅部分を粘着テープ等によって該壁面８９に固定する。練習者は、このようにして該壁面８７に固定されてなる重なりシート８７の前で自らの立ち位置を所要に設定するのであるが、この際、前記鏡面部１１に映る自らの姿（前記虚像４７）が前記標準フォーム姿図１２のサイズと略一致する場所に設定する。
【００４６】
この立ち位置で練習者は先ず、例えば図１に太い一点鎖線で部分的に示すように、自らの虚像４７を前記アドレス姿図３に位置合わせする。その際、前記アドレス姿図３における頭部１３、左右の肩部１６，１７、胴部１９、骨盤２０、左右の腕部３２，３３、左右の脚部２１，２２の各部４９（図１）の骨格を、該虚像４７の対応表示部４７ａの内側に位置させる。このように位置させる動作は厳密なものでなくてもよく、該各部４９が該虚像４７の対応表示部４７ａから部分的に外れてもよい。練習者は、最初のうちは自己のフォームを標準フォーム姿図に大体合わせることができればよい。このとき、前記第１、第２の説明文（図７）を読むと共に、前記標準フォーム姿図１２に表示されている左右の脚部２１，２２の左右の膝関節２３，２４の骨格２３ａ，２４ａと、左右の腕部３２，３３の左右の肘関節３５，３６の骨格３５ａ，３６ａと、左右の手部４５，４６の骨格４５ａ，４６ａと左右の手首４５，４６の骨格４５ａ，４６ａを観察することにより、グリップにおける手の形、膝の曲げ方向とその曲げ具合、肘の曲げ方向とその曲げ具合、手首の曲げ具合を容易に正しく把握できる。
【００４７】
又、体重をかけるべき部分を示す前記第１の目印６４、前記第４の目印７７と、筋肉を緊張させるべき部分を示す第２、第３の目印６５，７１を利用して、スイング時の体重移動等の要領を容易に習得できることとなる。即ち、前記アドレス姿図３においては、前記第２の目印６４に従い、前記腹部６３の筋肉を緊張させる。そして、前記アドレス姿図３のフォームから前記トップスイング姿図５のフォームに移行するバックスイングが進むにつれて、前記第１の目印６４に従い体重を右の脚部２２に移動し始めると共に、右脇腹部分７０の筋肉を緊張させる。そして、前記トップスイング姿図５のフォームから前記初期のフォロースルー姿図７のフォームに移行するダウンスイングが進むにつれて、前記第４の目印７７に従い、体重を右の脚部２２から左の脚部２１に移動し始める。
【００４８】
これによって練習者は、アドレス、トップスイング、初期のフォロースルー、終期のフォロースルー、フィニッシュの各標準フォームを容易に習得できる。そしてバックスイング、ダウンスイング、フォロースルーの一連の打球動作（スイング）については、前記の各姿図が異色色に表示されており、且つ前記番号１〜７によるスイング順序の表示と前記腕部移動表示８９、前記脚部移動表示９０によってスイングを順序よく行うことができると共に、前記第１〜第４の目印６４，６５，７１，７７によって把握できる体重移動によってスイングの一連の流れをスムーズに行うことができる。これらによって、本発明に係るゴルフフォーム練習具１によるときは、ゴルフの初心者であってもゴルフの標準フォームを効果的に習得できることとなる。
【実施例２】
【００４９】
本発明は、前記実施例で示したものに限定されるものでは決してなく、「特許請求の範囲」の記載内で種々の設計変更が可能であることはいうまでもない。その一例を挙げれば次のようである。
【００５０】
（１）前記鏡面部１１は、姿見等の鏡面の表面として構成されたり、光透過性シートを該鏡面に貼り付けて形成された該光透過性シートの表面として構成されてもよい。
【００５１】
（２）前記標準フォーム姿図の夫々は、前記のように、前記鏡面部１１に所要色の印刷を施すことによって表示することの他、カラーシートを所要の形に切り抜いて形成したシート片を貼着することによって表示することもできる。
【００５２】
（３）前記第１〜第４の目印６４，６５，７１，７７は、体重をかけるべき部分や筋肉を緊張させる部分であることを明示できるならば、矢印での表示や着色表示等、各種の目印を採用できる。又前記腕部移動表示８４や前記脚部移動表示８５は、移動始め側の姿図の色から移動終わり側の姿図の色に向けて徐々に色変化するようにグラデーションを付した矢印等としてもよい。
【００５３】
（４）前記第１〜第４の目印６４，６５，７１，７７は、夫々の目印を別体の透明樹脂シート小片に表示したものとし、この透明樹脂シート片を前記透明樹脂シート５２の所要部位に着脱可能に取り付けることとしてもよい。同様に前記腕部移動表示８４や前記脚部移動表示８５も、別体のシート片に表示し、これを前記透明樹脂シート５２の所要部位に着脱可能に取り付けることとしてもよい。
【００５４】
（５）前記シート小片８６を前記補助透明樹脂シート８３に着脱可能に取り付ける他の手段としては、吸盤や磁石で取り付ける手段等を採用することもできる。
【００５５】
（６）本発明に係るゴルフフォーム練習具は、前記アドレス姿図３と、前記トップスイング姿図５と、前記初期のフォロースルー姿図７と、前記終期のフォロースルー姿図９と、前記フィニッシュ姿図１０を個別に把握できる限り、夫々の標準フォーム姿図１２の略全体を前記鏡面部１１に表示することもある。
【００５６】
（７）図１０は、前記鏡面部１１に前記アドレス姿図３としての標準フォーム姿図１２のみを表示してなるゴルフフォーム練習具１を示すものであり、ゴルフスイングの基本となるアドレスの習得を可能としたものである。該アドレス姿図３の各部の構成は図２に基づいて説明したと同様であり、図７に基づいて説明したと同様に腹筋表示６６としての前記第１の目印６４が付されている。又、前記鏡面部１１の左側に、図１に示したと同様にグリップ状態５４が表示されている。
【００５７】
（８）該アドレス姿図３は、前記鏡面部１１に、正面図としての他、右側面図や左側面図として表示されることもある。
【００５８】
（９）前記標準フォーム姿図は、右利きの練習者用のものの他、左利きの練習者用のものも作成できる。
【符号の説明】
【００５９】
１  ゴルフフォーム練習具
２  ボール
３  アドレス姿図
５  トップスイング姿図
６  クラブ
７  初期のフォロースルー姿図
９  終期のフォロースルー姿図
１０  フィニッシュ姿図
１１  鏡面部
１２  標準フォーム姿図
２１  左の脚部
２２  右の脚部
２３  左の膝関節
２４  右の膝関節
３５  左の肘関節
３６  右の肘関節
４２  右の手部
４３  左の手部
４７  虚像
【図１】
2019111046.tif 000003
【図２】
2019111046.tif 000004
【図３】
2019111046.tif 000005
【図４】
2019111046.tif 000006
【図５】
2019111046.tif 000007
【図６】
2019111046.tif 000008
【図７】
2019111046.tif 000009
【図８】
2019111046.tif 000010
【図９】
2019111046.tif 000011
【図１０】
2019111046.tif 000012
【手続補正書】
【提出日】平成30年11月6日(2018.11.6)
【手続補正１】
【補正対象書類名】特許請求の範囲
【補正対象項目名】請求項８
【補正方法】変更
【補正の内容】
【請求項８】
前記鏡面部に裏面で重ね合わせられる透明の補助透明シートを具え、前記第１〜第４の目印が該補助透明シートに付されており、該補助透明シートが前記鏡面部に重ね合わせられた状態で、該第１〜第４の目印が前記鏡面部に付された状態となることを特徴とする請求項５記載のゴルフフォーム練習具。
【手続補正２】
【補正対象書類名】特許請求の範囲
【補正対象項目名】請求項９
【補正方法】変更
【補正の内容】
【請求項９】
前記鏡面部に裏面で重ね合わせられる透明の補助透明シートを具えており、前記腕部移動表示と前記脚部移動表示が該補助透明シートに付されており、該補助透明シートが前記鏡面部に重ね合わせられた状態で、該腕部移動表示と該脚部移動表示が前記鏡面部に付された状態となることを特徴とする請求項６記載のゴルフフォーム練習具。